(57)【要約】      （修正有）【課題】汎用性の編機で編成でき、足の横アーチおよび縦アーチもサポートするとともに、踵をずれ難くホールドし且つ靴下の着脱性を妨げないような靴下を提供する。【解決手段】足の爪先部分を覆う爪先部３１と、足の踵部分を覆う踵部３２と、爪先部と踵部の間に配設される足部本体３３を有する靴下であって、足部本体は爪先側の領域Ａと、踵側の領域Ｂと、爪先側領域と踵側領域の間に配設される中央領域Ｃよりなり、中央領域は、足の甲を覆う足甲部分Ｃ１と、足の裏を覆う足底部分Ｃ２を有し、爪先側の領域は着圧が弱い弱圧部であり、踵側の領域は弱圧部よりも着圧が強い中圧部であり、中央領域における足甲部分は中圧部よりも着圧が強い強圧部であり、中央領域における足底部分は強圧部よりも着圧が強い最強圧部である。【選択図】図１
0003223538.tif 000002
【実用新案登録請求の範囲】
【請求項１】
足の爪先部分を覆う爪先部と、足の踵部分を覆う踵部と、爪先部と踵部の間に配設される足部本体を有する靴下であって、
前記足部本体は爪先側の領域と、踵側の領域と、爪先側領域と踵側領域の間に配設される中央領域よりなり、
前記中央領域は、足の甲を覆う足甲部分と、足の裏を覆う足底部分を有し、
前記爪先側の領域は着圧が弱い弱圧部であり、前記踵側の領域は前記弱圧部よりも着圧が強い中圧部であり、前記中央領域における足甲部分は前記中圧部よりも着圧が強い強圧部であり、中央領域における足底部分は前記強圧部よりも着圧が強い最強圧部であることを特徴とする靴下。
【請求項２】
前記弱圧部、中圧部、強圧部および最強圧部は表糸と裏糸により編成された平編にゴム糸挿入により編成されたものであり、ゴム糸は、前記弱圧部においては平編の裏側３ウェール、表側１ウェールを繰り返し通るように挿入され、前記中圧部においては平編の裏側２ウェール、表側１ウェールを繰り返し通るように挿入され、前記強圧部においては平編の裏側１ウェール、表側１ウェールを繰り返し通るように挿入され、前記最強圧部においては平編の裏側２ウェール、表側２ウェールを繰り返し通るように挿入されていることを特徴とする請求項１記載の靴下。
【請求項３】
前記爪先側領域、踵側領域、足甲部分および足底部分においては、それぞれの着圧が弱圧部、中圧部、強圧部および最強圧部となるように平編にカットボスにより編糸が挿入されていること特徴とする請求項１記載の靴下。
【請求項４】
前記爪先側領域、踵側領域、足甲部分および足底部分においては、それぞれの着圧が弱圧部、中圧部、強圧部および最強圧部となるように、ゴム糸挿入およびカットボスにより編糸が平編に挿入されていること特徴とする請求項１記載の靴下。
【請求項５】
前記靴下の足部本体に荷重を架けて周方向にストレッチした場合の寸法が爪先側領域＞踵側領域＞中央領域であることを特徴とする請求項１ないし請求項４の何れか１項に記載の靴下。
【考案の詳細な説明】
【技術分野】
【０００１】
本考案は足底のアーチをサポートする靴下に関するものである。
【背景技術】
【０００２】
人の足底には、横アーチ（中足骨部に存在するドーム型横方向のアーチ）、内側縦アーチ（一般的に土踏まずと呼ばれる部位）、外側縦アーチ（外見上は分かりにくいが身体のバランスを支えるアーチ）があり、足底腱膜という強靭な縦走線維束が足裏の踵から指先に向かって扇状に張っていて、各アーチがクッションのような弾力性を保ち、歩行時の踏み出す力や、接地時の衝撃の緩和、片足立ちでも倒れない安定性等をサポートしている。
【０００３】
ところが過度の疲労や、老化、遺伝などにより、足裏のアーが低下してくると、歩行し難くなるという問題がある。このため、足裏のアーチをサポートする靴下がいろいろ提案されている。
【０００４】
例えば、実用新案登録第２５３４７８１号公報（特許文献１）には、靴下の爪先に近い横中足靭帯と、中足関節に当る部分の巾方向締付け力を他の部分より強くした外反母趾矯正用靴下が開示されている。
【０００５】
特開２００２−６９７０１号公報（特許文献２）には、踵より先方であって爪先の基部に至る足部に、甲と足裏周方向の全周に亘って伸縮性素材による締め付け領域を形成し、該締め付け領域が踵側の強力締め付け領域と爪先側の通常締め付け領域からなる靴下が開示されている。
【０００６】
特許第５０２１４１６号公報（特許文献３）には、靴下の土踏まず部の足長方向中央付近の位置に、低伸縮性で皮膚への着圧力が最も高い編組織または素材で構成された第１領域を設けるとともに、前記第１領域の周囲を囲み、かつ、足底部から足甲部を周設するように、低伸縮性の編組織または素材で構成された第２領域を設けた靴下が開示されている。
【先行技術文献】
【特許文献】
【０００７】
【特許文献１】実用新案登録第２５３４７８１号公報
【特許文献２】特開２００２−６９７０１号公報
【特許文献３】特許第５０２１４１６号公報
【考案の概要】
【考案が解決しようとする課題】
【０００８】
前述した特許文献１に開示された靴下では、爪先付近の横アーチのサポートには役に立つが、内側縦アーチおよび外側縦アーチをサポートすることができない。
【０００９】
また、特許文献２に開示された靴下では、強力締め付け領域も通常締め付け領域も、それぞれ足部の周方向の全周にわたって、同じ編組織で編成されている。しかし、人の足は甲部分が硬く、上に盛り上がっており、足裏部分は、特に土踏まず部分は、柔らかく窪んでいる。そのため、この靴下では、足甲の着圧（締め付け圧力）が高く、土踏まず部分は着圧が低くなり、内側縦アーチをしっかりサポートすることができない。
【００１０】
特許文献３に開示された靴下は内側縦アーチをサポートすることができる。しかし、土踏まずに対応する着圧力の高い第１領域および、この第１領域の周囲を囲み、かつ、足底部から足甲部を周設するように、低伸縮性の編組織または素材で構成された第２領域を具備する特許文献３の靴下は、フルコンピューター編機という特殊な編機でないと製造することはできないという問題がある。
【００１１】
本考案は、上述した従来の問題に鑑みて、通常のＫ式靴下編機で編成できる靴下であって、足の横アーチおよび縦アーチもサポートするとともに、踵をずれ難くホールドし且つ靴下の着脱性を妨げないような靴下を提供することを目的とする。
【課題を解決するための手段】
【００１２】
本考案によれば、足の爪先部分を覆う爪先部と、足の踵部分を覆う踵部と、爪先部と踵部の間に配設される足部本体を有する靴下であって、前記足部本体は爪先側の領域と、踵側の領域と、爪先側領域と踵側領域の間に配設される中央領域よりなり、前記中央領域は、足の甲を覆う足甲部分と、足の裏を覆う足底部分を有し、前記爪先側の領域は着圧が弱い弱圧部であり、前記踵側の領域は前記弱圧部よりも着圧が強い中圧部であり、前記中央領域における足甲部分は前記中圧部よりも着圧が強い強圧部であり、中央領域における足底部分は前記強圧部よりも着圧が強い最強圧部であることを特徴とする靴下により、前記目的を達成する。
【００１３】
本考案においては、前記弱圧部、中圧部、強圧部および最強圧部は表糸と裏糸により編成された平編にゴム糸挿入により編成され、ゴム糸は、前記弱圧部においては平編の裏側３ウェール、表側１ウェールを繰り返し通るように挿入され、前記中圧部においては平編の裏側２ウェール、表側１ウェールを繰り返し通るように挿入され、前記強圧部においては平編の裏側１ウェール、表側１ウェールを繰り返し通るように挿入され、前記最強圧部においては平編の裏側２ウェール、表側２ウェールを繰り返し通るように挿入されていることが好ましい。
【００１４】
また、本考案においては、前記爪先側領域、踵側領域、足甲部分および足底部分においては、それぞれの着圧が弱圧部、中圧部、強圧部および最強圧部となるように平編にカットボスにより編糸が挿入されていても良い。
【００１５】
更に、本考案においては、前記爪先側領域、踵側領域、足甲部分および足底部分においては、それぞれの着圧が弱圧部、中圧部、強圧部および最強圧部となるように、ゴム糸挿入およびカットボスにより編糸が平編に挿入されているようにしてもよい。
【００１６】
本考案においては、前記靴下の足部本体に荷重を架けて周方向にストレッチした場合の寸法が爪先側領域＞踵側領域＞中央領域であることが好ましい。
【考案の効果】
【００１７】
通常のＫ式靴下編機で編成できる靴下であって、足の横アーチおよび縦アーチもサポートするとともに、踵をずれ難くホールドし且つ靴下の着脱性を妨げないような靴下を提供する
【図面の簡単な説明】
【００１８】
【図１】本考案の靴下の側面図である。
【図２】本考案の靴下の爪先側領域における編組織の一実施例を編目で示した組織図である。
【図３】本考案の靴下の踵側領域における編組織の一実施例を編目で示した組織図である。
【図４】本考案の靴下の中央領域の足甲部分における編組織の一実施例を編目で示した組織図である。
【図５】本考案の靴下の中央領域の足底部分における編組織の一実施例を編目で示した組織図である。
【考案を実施するための形態】
【００１９】
以下、図面に示した実施例に基いて本考案を詳細に説明する。
【００２０】
本考案の靴下は、糸の切替えや度目変更が可能な汎用性の靴下編機（例えば、通常のＫ式靴下編機）で編成できる靴下である。図１に示すように、履き口部１、脚部２および足部３からなり、足部３は足の爪先部分を覆う爪先部３１と、足の踵部分を覆う踵部３２と、爪先部３１と踵部３２の間に配設される足部本体３３を有する。
【００２１】
足部本体３３は爪先側の領域Ａと、踵側の領域Ｂと、爪先側領域と踵側領域の間に配設される中央領域Ｃよりなり、中央領域Ｃは、足の甲部を覆う足甲部分Ｃ１と、足の裏を覆う足底部分Ｃ２を有する。
【００２２】
本考案の靴下の足部３は、爪先部３１および踵部３２と異なって、足部本体３３が足を締め付けて着圧を与えて、足の横アーチおよび縦アーチもサポートしている。
【００２３】
足部本体３３は、爪先側の領域Ａは着圧が弱い弱圧部であり、踵側の領域Ｂは前記弱圧部よりも着圧が強い中圧部である。更に、中央領域Ｃにおける足甲部分Ｃ１は前記中圧部よりも着圧が強い強圧部であり、中央領域Ｃにおける足底部分Ｃ２は前記強圧部よりも着圧が強い最強圧部としている。
【００２４】
足部本体３３は表糸と裏糸を使用した添糸編で編成される。表糸の素材は特に限定されず、綿や毛等の天然繊維からなる糸や、ナイロン、アクリル等の合成繊維からなる糸、天然繊維と合成繊維との混紡糸を使用できる。表糸の太さは１００〜１，５００デニールである。
【００２５】
裏糸はＦＴＹ糸（弾性糸にウーリーナイロン糸等を巻き付けた糸）またはウーリーナイロン糸等を使用する。裏糸の太さ等については特に限定されない。例えば、ＦＴＹ糸として２０〜１４０デニールのポリウレタンを芯糸とし、３０〜１５０デニールのナイロン糸等で被覆した糸や、３０〜１５０デニールのウーリーナイロン糸等を使用する。
【００２６】
着圧を付加する挿入糸としてゴム糸を使用する。ゴム糸は天然ゴムまたはポリウレタンゴムを芯糸としてポリエステルやナイロンでダブルカバリングしたものを使用する。太さは１００〜５００デニールである。例えば、２１０デニールのポリウレタン芯糸に７５デニールの被覆糸をダブルカバリングしたものを使用する。
【００２７】
図２は、本考案の靴下の爪先側領域Ａにおける編組織の一実施例を編目で示した組織図である。表糸および裏糸を合わせた糸をベース糸４として表し、ゴム糸５を黒い線で示している。
【００２８】
図２に示すように、ベース糸４は平編で編成され、ゴム糸５が平編に挿入されている。図２に示した編組織ではゴム糸５は平編の裏側に３ウェール、表側に１ウェールを繰り返し通るように挿入されている。
【００２９】
図３は、本考案の靴下の踵側領域Ｂにおける編組織の一実施例を編目で示した組織図である。踵側領域Ｂの編組織では、ゴム糸５はベース糸４による平編の裏側に２ウェール、表側に１ウェールを繰り返し通るように挿入されている。
【００３０】
図４は、本考案の靴下の中央領域Ｃの足甲部分Ｃ１における編組織の一実施例を編目で示した組織図である。中央領域Ｃの足甲部分Ｃ１の編組織では、ゴム糸５はベース糸４による平編の裏側に１ウェール、表側に１ウェールを繰り返し通るように挿入されている。
【００３１】
図５は、本考案の靴下の中央領域Ｃの足底部分Ｃ２における編組織の一実施例を編目で示した組織図である。中央領域Ｃの足底部分Ｃ２の編組織では、ゴム糸５はベース糸４による平編の裏側に２ウェール、表側に２ウェールを繰り返し通るように挿入されている。
【００３２】
図２〜図５に示した実施例ではゴム糸５はベース糸による平編の各コースに挿入されている。
【００３３】
ゴム糸５の挿入の仕方により、爪先側の領域Ａは着圧が弱い弱圧部となり、踵側の領域Ｂは前記弱圧部よりも着圧が強い中圧部となる。また、中央領域Ｃにおける足甲部分Ｃ１は前記中圧部よりも着圧が強い強圧部となり、中央領域Ｃにおける足底部分Ｃ２は前記強圧部よりも着圧が強い最強圧部となる。
【００３４】
更に、中央領域Ｃにおける着圧力を高めるために、ベース糸４を構成する裏糸を爪先側の領域Ａおよび踵側の領域Ｂにおける裏糸と切り替えてもよい。例えば、爪先側の領域Ａおよび踵側の領域Ｂにおける裏糸を２０デニールの芯糸に１５０デニールの被覆糸を巻き付けた糸を使用し、中央領域Ｃにおける裏糸を１４０デニールの芯糸に７５デニールの被覆糸を巻き付けた糸を使用する。このように中央領域Ｃにおける裏糸の芯糸（弾性糸）の太さが爪先側領域Ａや踵側領域Ｂの裏糸の芯糸よりも太いと、締付け力（着圧力）が他の領域Ａ、Ｂよりも高くなる。
【００３５】
平編の編目の大きさを調整（度目を調整）して、中央領域Ｃにおける編目を爪先側領域Ａや踵側領域Ｂの編目よりも小さくするようにして、中央領域Ｃの着圧力を更に高めてもよい。
【００３６】
また、爪先側の領域Ａを弱圧部、踵側の領域Ｂは中圧部、中央領域Ｃにおける足甲部分Ｃ１を強圧部、および中央領域Ｃにおける足底部分Ｃ２を最強圧部となるように、ゴム糸５の挿入に加えて、或いは単独で、ベース糸による平編にカットボスにより編糸を挿入してもよい。
【００３７】
本考案の靴下のストレッチ寸法を靴下寸法測定器（奈良県香芝市の大竹工作所の製品）で測定した。爪先側領域Ａ、踵側領域Ｂおよび中央領域Ｃの各領域の巾を測定した。
〔測定方法〕
それぞれの領域の両端を端から５ｍｍの位置で測定器の押え部分で把持して測定スライダーをゆっくり引っ張る。４ｋｇの荷重が掛かった時点で機械が自動的に停止するので、その時の目盛りを読む。
【００３８】
実施例の複数の靴下を測定した結果、爪先側領域Ａが２０〜２３ｃｍ、踵側領域Ｂが１９〜２２ｃｍ、中央領域Ｃが１８〜２１ｃｍであった。各領域に寸法の巾があるのは、測定した靴下のベース糸の違いや度目設計の違いによるものであるが、同じ１つの靴下においてのストレッチ寸法は爪先側領域＞踵側領域＞中央領域であった。
【００３９】
本考案においては、中央領域Ｃにおける足底部分Ｃ２の着圧を足甲部分Ｃ１よりも強く、最強としているので、足の土踏まず部分を上に引き上げることができる。従って、本考案の靴下を着用すると、足の縦アーチがサポートされ、足の疲労を軽減することができる。
【００４０】
また、足の踵骨が回内すると縦アーチが下がって来るが、本考案の靴下においては、踵側領域Ｂを中圧として踵をサポートすることで、踵骨が回内することを防ぐとともに、踵をホールドし、ずれにくくしている。また、中圧としたことにより、靴下の着脱性をよくしている。
【００４１】
爪先側領域Ａを弱圧としているので、足の横アーチを上げつつ、しかも締付け過ぎず、ゆったりと着用していることができる。
【符号の説明】
【００４２】
１  履き口部
２  脚部
３  足部
３１  爪先部
３２  踵部
３３  足部本体
Ａ  爪先側の領域
Ｂ  踵側の領域
Ｃ  中央領域
Ｃ１  足甲部分
Ｃ２  足底部分
４  ベース糸
５  ゴム糸
【図１】
0003223538.tif 000003
【図２】
0003223538.tif 000004
【図３】
0003223538.tif 000005
【図４】
0003223538.tif 000006
【図５】
0003223538.tif 000007